(57)【特許請求の範囲】
【請求項１】
液透過性の表面シートと、液不透過性の裏面シートと、前記表面シートと前記裏面シートとの間に配された吸収体とを有する吸収性物品であって、
前記吸収性物品は、前記表面シート上において、第１の方向に延びる第１流路と、第２の方向に延びる第２流路と、を含む複数の流路を備える流路形成領域を備え、
前記流路は、前記表面シートと前記吸収体とを圧縮した複数の凹部と、
前記圧縮することにより、前記凹部の近傍の前記吸収体が押し下げられて形成される凹んだ空間と、を備え、
前記第１流路の前記凹んだ空間は、前記第１の方向において連続する壁面を有し、前記第２流路の前記凹んだ空間は、前記第２の方向において連続する壁面を有し、
前記流路の底部に、前記凹部が間欠的に配列されており、
前記複数の流路の交差領域には、前記凹部は位置しないことを特徴とする吸収性物品。
【請求項２】
前記複数の流路の交差領域における、前記表面シートと前記吸収体の圧縮密度は、前記凹部の底の前記表面シートと前記吸収体の圧縮密度よりも低いことを特徴とする請求項１に記載の吸収性物品。
【請求項３】
前記流路は、前記流路形成領域の一方端から他方端に連続的に延びるものを含むことを特徴とする請求項１または２に記載の吸収性物品。
【請求項４】
前記流路形成領域は、前記吸収体の端までは達していないことを特徴とする請求項２に記載の吸収性物品。
【請求項５】
前記凹部の配列間隔は、１．０ｍｍ以上９．０ｍｍ以下であることを特徴とする請求項１に記載の吸収性物品。
【請求項６】
前記吸収体が前身頃、股下、後身頃にわたって延在する大きさの使い捨ておむつであることを特徴とする請求項１ないし５のいずれかに記載の吸収性物品。
【発明の詳細な説明】
【技術分野】
【０００１】
本発明は、吸収性物品に関し、特に、使い捨ておむつに関する。
【背景技術】
【０００２】
使い捨ておむつ（以下、単に「おむつ」とも言う）等の吸収性物品においては、さまざまな改良が行われ、その機能や着用感の向上が図られている。
【０００３】
吸収性物品は、吸収体によって排出された体液のほとんどを吸収する。ここで、おむつは、腹、尻及び股部分を覆うものであるので、歩行や寝返り、赤ちゃんのハイハイなどのさまざまな体、特に脚の動きの影響を受ける。特に、吸収体は、体のさまざまな動きによって、よれたり、折れたり、割れたりする場合がある。そうすると、おむつの股間へのフィット性が低下し、液漏れを起こしやすくなる。このため、フィット性を維持するために、例えば、特許文献１に見られるように、吸収体の非肌当接面側に、エンボス加工がなされたものがある。このように、吸収体にエンボス加工を施すことにより、吸収体の剛性が強化され、体の動きによって加わる力に対して、吸収体がよれにくく、割れにくくなる。
【０００４】
一方、使い捨ておむつの吸収体は、着用者の股下全体にわたって位置するが、排尿の際には、尿は排尿部位付近から、表面シートや吸収体を伝って拡散される。その拡散性を促すために、特許文献２には、吸収体の股間部分に、吸収体の長手方向に沿った２本の凹部を設け、この凹部によって尿を拡散させる点が記載されている。
【先行技術文献】
【特許文献】
【０００５】
【特許文献１】特開２０１４−６９００２号公報
【特許文献２】特開２０１２−１４３５３５号公報
【発明の概要】
【発明が解決しようとする課題】
【０００６】
一般的に使い捨ておむつは、自身の力ではトイレでの排泄行為ができない赤ちゃんや高齢者など、介助を必要する人に着用されることが多い。したがって、使い捨ておむつの交換は、着用者本人の意思でなされるだけでなく、介護者の判断によってなされる場合も多い。赤ちゃんの親や介護者など、着用者本人以外の者は、おむつが尿を吸って膨らみ、盛り上がっているのを見たり触ったりして交換する。
【０００７】
特許文献１に開示されているもののように、吸収体の肌当接面側には、液拡散の工夫がなされていない場合、尿が吸収体全体にすばやく拡散されず、排尿部位付近に留まってしまう場合も多かった。この場合、少量の尿、例えば、一回の排尿であっても、吸収体の排尿部位が盛り上がり、交換されることとなる。したがって、吸収体全体が有効利用されずに、捨てられてしまうこととなる。
【０００８】
また、特許文献２に開示されているもののように、尿の吸収体上での拡散を促すための凹部を吸収体の肌当接面側に設けたとしても、凹部の壁面付近の吸収体が液（尿）を吸ってしまうと、その部分の吸収体が膨らんでしまうので、そこから隣接する吸収体へのすばやい拡散が起こりにくい。
【０００９】
今回、我々は、吸収体における液の拡散には、吸収体の粗密が大きく関わっていることを発見した。具体的には、吸収体がかなり圧縮され、吸収体の密度が高密度すぎると、液を溜める空隙が少なく吸収しにくい。一方で、吸収体密度があまりに疎であると、液は吸収できるが、空隙に液が溜まってしまうことで、その場所から先への液の拡散は活発ではない。したがって、長手方向凹部に隣接する吸収体密度が疎である部分に尿が溜まってしまい、股下が盛り上がった状態となる。
【００１０】
このように、尿がすばやく吸収体全体に拡散せずに、排尿部位付近に留まってしまうと、排尿部位の吸収体が膨らみ、蒸れてべたつくため、着用者は不快に感じることとなる。
【００１１】
また、おむつの交換者は、まだおむつが尿を吸収できる状態であるにも関わらず、排尿部位付近が膨らんでいるので交換することになる。したがって、吸収体全体を有効に活用することができずに、おむつを捨てることになり不経済である。
【００１２】
また、仮に、交換者がおむつの排尿部位付近の状態を見たり触ったりして交換しなかったとしても、水分を吸収して膨らんだ吸収体は、乾いている時以上によれたり、割れやすくなる。したがって、１回目の排尿で尿が拡散されずに排尿部位付近の吸収体が大きく膨らんでしまうと、その後の体の動きで吸収体が割れてしまう場合がある。割れたところに、さらに排尿されると、割れ目から尿が流れ出て、液漏れを起こす場合がある。
【００１３】
本発明は、体液をすばやく拡散させて吸収体全体を有効活用するとともに、体液吸収後の蒸れやよれを抑制し、着用者の不快感を低減する吸収性物品を提供することを課題とする。
【課題を解決するための手段】
【００１４】
本発明の吸収性物品は、液透過性の表面シートと、液不透過性の裏面シートと、表面シートと裏面シートとの間に配された吸収体とを有する吸収性物品であって、吸収性物品は、表面シート上に延びる流路を複数備える流路形成領域を備え、流路は、表面シートと吸収体とを圧縮した凹部を複数備えるものである。
【００１５】
また、流路の底部に、凹部が間欠的に配列されているものであってもよい。
【００１６】
加えて、複数の流路の交差領域には、凹部は位置しないものであってもよい。
【発明の効果】
【００１７】
本発明の吸収性物品は、尿などの体液を流す流路に、より吸収体の圧縮密度の高い凹部を設けることにより、流路中においても、吸収体の圧縮密度差をもたらすことにより、体液を流路を介してすばやく拡散吸収させ、吸収体全体を有効に使用することができる。
【図面の簡単な説明】
【００１８】
【図１】本発明による吸収性物品を展開型使い捨ておむつに応用した一実施形態の外観を示す立体投影図である。
【図２】図１に示したおむつを着用した下半身を背中側から見た立体投影図である。
【図３】図１に示したおむつを展開して分解状態で示す立体投影図である。
【図４】図１に示したおむつの吸収体部分をトップシート側から見た部分上面図である。
【図５】図４に示す部分上面図の流路部分を拡大した拡大部分上面図である。
【図６】図５のＶＩ−ＶＩ線での断面図である。
【図７】図５のＶＩＩ−ＶＩＩ線での断面図である。
【図８】流路配列パターンの他の例を示す図である。
【図９】流路配列パターンの他の例を示す図である。
【図１０】おむつの他の例を示す図５におけるＶＩ−ＶＩ線と同様の切断線での断面図である。
【発明を実施するための形態】
【００１９】
本発明による吸収性物品の実施形態について、図１から図７を参照しながら詳細に説明する。
【００２０】
本発明を展開型使い捨ておむつに応用した第１の実施形態の外観において、正面側から見た斜視図を図１に示し、背面側から見た斜視図を図２に示す。図２は、この展開型使い捨ておむつを乳幼児が着用した際の背中側から見た下半身姿を示すものである。さらに、図１，図２に示す展開型使い捨ておむつを破断展開した分割状態にて図３に示す。
【００２１】
本実施形態における展開型使い捨ておむつ（以下、単におむつと記述する場合がある）１０は、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部股下領域１０Ｃとで着用者の両脚の太股部分を取り囲む左右一対の脚周り開口部１０Ｌが形成されている。
【００２２】
図２に示すように、着用時に前身頃領域１０Ｆは、着用者の腹側に位置し、後身頃領域１０Ｒは着用者の背側に位置する。そして、股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太ももあたりのいずれかに位置することとなる。
【００２３】
仮想線Ｐは、おむつ中央部において腹側から背側に向かって、股下部分を通って延びるものである。具体的には、仮想線Ｐは、例えば、おむつのウエスト側を上、股下側を下とすると、おむつ表面に沿って、かつ上下方向に延びると共に、股下部分を経由して、背側においても上下方向に延びるものである。言い換えれば、この上下方向とは、着用者の頭から股下への体の中心軸に沿う方向であり、仮想線Ｐは、体の中心軸に沿って延びるものである。
【００２４】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接合されている。このファスニングテープ１０Ａは、前身頃領域１０Ｆのカバーシート１１上に接合されたフロントパッチシート１０Ｂに対して繰り返し剥離可能に接合される。また、カバーシート１１の後身頃領域１０Ｒの上端部には、カバーシート１１の幅方向に沿って延在し、着用者に対してウエスト周りに適度な着用感を与えるための弾性シート１０Ｄが接合されている。
【００２５】
図３に示すように、本実施形態におけるおむつ１０は、外側から順にカバーシート１１と、バックシート１２と、吸収体１３と、着用者の肌に触れるトップシート１４とを順に重ねて接合したものである。カバーシート１１の股下領域１０Ｃの左右両側には、それぞれ脚周り開口部１０Ｌとなる半円弧状をなす一対の切欠き部１１Ａが形成されている。液不透過性のバックシート１２は、このインナーカバーシート１１Ｂに接合され、先の吸収体１３は、このバックシート１２と液透過性のトップシート１４との間に配され、この吸収体１３を介してトップシート１４がバックシート１２に接合される。良好な手触りを得るために薄い不織布にて形成されるアウターカバーシート１１Ｃとインナーカバーシート１１Ｂとの間には、脚周りギャザーを形成するための糸ゴム１５がそれぞれ伸長状態で接合されている。
【００２６】
図４は、おむつ１０の股下部分を、トップシート１４側から見た部分上面図である。
【００２７】
トップシート１４の下に位置する本実施形態の吸収体１３は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなるものである。吸収体１３は、前身頃、股下、後身頃にわたるように、細長い形状をしている。そして、前身頃部分Ｍ１、股下部分Ｍ２、後身頃部分Ｍ３に三区分されている。股下部分Ｍ２には、両脚の太股部分を取り囲む左右一対の脚周り開口部１０Ｌに合わせて、円弧状をなす一対の切欠き部１３Ａが形成されている。なお、この切欠き部１３Ａは、吸収体１３の大きさに応じて形成しなくてもよい。また、本実施形態の吸収体１３は、切欠き部１３Ａが設けられており、中央部の幅が前後端に比べて狭い砂時計型のものであるが、本発明の吸収体の形状はこれに限らない。前身頃部分から後身頃部分を前後（上下）方向とし、それに直交する方向を左右方向とすると、例えば、前後（上下）端の角が丸く落とされているもの、前後（上下）に延びる楕円形のもの、円形のもの、前後（上下）左右の長さが同程度の矩形のものなど、さまざまな形状を含む。
【００２８】
そして、図４に示すように、トップシート１４表面から吸収体１３に向かって規則的なエンボス加工を施すことにより、複数の凹部が形成され、その凹部の並びによって斜め格子状に延びる流路２１が形成されている。
【００２９】
図５は、斜め格子状に延びる流路２１の一部を拡大したものであり、図６は、図５のＶＩ−ＶＩ線による断面を示す図である。図７は、図５のＶＩＩ−ＶＩＩ線による断面を示す図である。
【００３０】
図５に示すように、ドットなどのエンボスパターンによって、トップシート１４表面から吸収体１３に向かって間欠的に圧搾した凹部２２を配列する。この凹部２２をある程度の間隔で配列することにより、凹部２２近傍の吸収体は押し下げられて、エンボスパターンがない部分（以下、「主吸収領域」とも言う）２４よりも凹んだ空間２３となる。したがって、凹部２２を連続して形成することにより、凹んだ空間２３による流路２１が形成されることとなる。
【００３１】
エンボス加工は、トップシート１４と吸収体１３との間に接着剤を介在させて、トップシート１４表面からトップシート１４と吸収体１３とを共に圧搾するものである。したがって、凹部２２においてトップシート１４と吸収体１３とが、完全に密着した状態となっている。具体的には、圧搾により、トップシート１４の一部の繊維が吸収体１３の表面繊維とかみ合い、しっかりと固定される。加えて、凹部２２の底面２２ａは、吸収体１３がかなり圧縮された状態となっている。
【００３２】
したがって、吸収体１３は、吸収体密度に関し、圧縮され、密度が高い高密度部１３Ａ、すなわち凹部２２の底面２２ａ部分と、密度が低い低密度部１３Ｃ、すなわち、エンボスパターンがない部分２４と、密度が中程度の中密度部１３Ｂ、すなわち、凹部２２及び流路２１の壁面部分との３部分に分けられる。ここで、中密度部１３Ｂは具体的には、均一の密度ではなく、底面２２ａからエンボスパターンがない部分２４まで漸次密度が低くなっていく、密度変化部分と見るのがより適当である。図６は、吸収体１３の圧縮密度に応じて色を変化させており、凹部２２の底面２２ａ付近の黒い部分が徐々に薄くなっていくように、圧縮密度は、主吸収領域２４に向かって徐々に変化している。
【００３３】
また、吸収体１４は、上述したように、主にＳＡＰとパルプからなるものであり、密度は主にパルプ繊維密度が関与している。したがって、高密度部１３Ａはパルプが圧縮され、パルプ間の隙間が少ない状態である一方、低密度部１３Ｃは、パルプ間の隙間が高密度部１３Ａに比べて多い状態である。
【００３４】
加えて、凹部２２は、合成繊維であるトップシート１４と主成分がパルプの吸収体１３とをともに圧縮接合して形成されているので、凹部２２の底面２２ａは、フィルム状となって液をほとんど吸収しなくなる。したがって、凹部２２の底面２２ａ上は液がほとんど吸収されずに流れ走る。そのため、流路２１内の底面では、凹部２２と隣接する凹部２２によって押し下げられた凹んだ空間２３との、吸収体１３の圧縮密度が異なる部分が交互に出現することにより、液が流れ進むとともに、凹んだ空間２３からは液が吸収される。
【００３５】
さて、液吸収トップシート１４表面に付与された液は、主吸収領域２４では、トップシート１４を透過して吸収体１３に吸収される。一方、流路２１に付与された液は、凹部２２底面２２ａがフィルム状であるため、上述したように流路２１を流れ走ることとなる。この流れにおいて、流路２１中の液は、凹部底面２２ａがフィルム状であるため、底面２２ａで吸収されず、壁面のトップシート１４を伝って中密度部１３Ｂへ浸透する。次に、中密度部１３Ｂの空隙で確保できない液が、さらに空隙の大きい、低密度部１３Ｃへ流れ込む。このようにして、液は、中密度部１３Ｂから低密度部１３Ｃへ進み、主吸収領域２４内へ吸収されていく。
【００３６】
吸収体１３において、排尿部位に面した部分は、主吸収領域２４にも液が直接付与されるので、液を十分に吸収することになる。しかしながら、排尿部位に面していない部分は、液が直接付与されるわけではないので、排尿部位からトップシート１４もしくは吸収体１３経由で伝ってきた液を吸収することとなる。ここで、流路２１は、排尿部位に面した部分から液を遠くへ流す役目を果たす。すなわち、流路２１には、液をあまり吸収しない高密度部１３Ａとなる凹部２２が一定間隔で形成されているので、流路２１内を液が流れ、排尿部位からより遠くへ、吸収体１３全体へ液が拡散されていくこととなる。ここでは、尿を例に挙げたが、経血など他の体液においても同様の拡散効果が得られるのは言うまでもない。
【００３７】
更に、図４に示したように、流路２１は、吸収体１３の全体に斜め格子状に張り巡らされているため、複数の交点２１Ｄ（流路の交差領域）を有する。この交点２１Ｄで分岐する流路２１によって、さらに液は分散されて、さまざまな方向へ広がることとなる。本実施形態において、流路の交点２１Ｄには、凹部２２は位置しない（図５、図７参照。）。流路の交点２１Ｄは、四つの主吸収領域２４に面することとなるため、この交点２１Ｄから各主吸収領域２４へ液が流れ込めば、拡散効果が大きい。そこで、この交点２１Ｄには、凹部２２を設けないようにして、より液が主吸収領域２４へ吸収されやすい環境にする。すなわち、図７に示すように、交点２１Ｄは、凹部２２の底面２２ａに比べて吸収体の圧縮密度が低く、液を吸収することとなる。さらに、より吸収体の圧縮密度の低い主吸収領域２４へ液は移動していくため、交点２１Ｄに到達した液は、矢印Ａに示すように、交点２１Ｄに面する主吸収領域２４に拡散する。交点２１Ｄは、主吸収領域２４が四つ面しているので、広域ですばやく拡散され吸収することができる。また、隣接する主吸収領域２４同士も交点２１Ｄ部分では凹部２２によって分離されていないので、吸収体１３による液の吸収拡散が期待できる。
【００３８】
つまり、交点２１Ｄといった複数（四つ）の主吸収領域２４に面している部分では、液を四方にすばやく拡散吸収させることにより、各吸収領域２４を有効に活用することができる。図４に示すように、主吸収領域２４は少なくとも一辺、ほとんどは四辺を流路２１に取り囲まれている。主吸収領域２４内には、流路２１の壁面である中密度部１３Ｂから液が移動していく。加えてこの交点２１Ｄからも液が進入するとなると、液の進入箇所を増やすことができる。主吸収領域２４に多方向から液が進入すると、主吸収領域２４全体を有効に活用することができる。このように、多方向からの液の進入が可能となるため、交点２１Ｄに凹部２２を設けた場合に比べて、主吸収領域２４一区画の面積を大きくしても、十分に領域の中央部分にまで液を吸収させることが可能となる。
【００３９】
上述したように、おむつの吸収体１３の全域に、流路２１を張り巡らせることにより、排尿部位から、流路２１を伝ってすばやく、吸収体１３全体に尿を拡散させることができ、排尿部位のみに尿が滞ってしまうことを防ぐ。加えて、流路２１は、凹部２２を連続されるのではなく、一定間隔で点在させることにより、流路２１底面においても、液を一部吸収させながら液を流すことができるようにする。つまり、トップシート１４側、言い換えると流路２１側からの上層の液拡散と、吸収体１３側からの下層の液拡散の２層拡散となる。そして、流路２１内（つまり上層）の液拡散速度は、吸収体１３内（つまり下層）の液拡散速度よりも格段に速い。したがって、流路２１を使って、液をすばやく移動させ、特定箇所に液が大量に留まってしまうことを防ぐ。
【００４０】
加えて分岐点である交点２１Ｄには、凹部２２を設けないことにより、交点２１Ｄに隣接する四つの主吸収領域２４に尿がすばやく吸収されることとなる。したがって、排尿部位で排出された尿は、流路２１を伝ってすばやく排尿部位から遠い位置へ移動できるとともに、移動中の流路の壁面から徐々に隣接する主吸収領域２４に吸収される。加えて、経路の途中に現れる各交点２１Ｄで交わるほかの流路２１に尿が分岐するだけでなく、隣接する主吸収領域２４に拡散される。このように、排出された尿は、排尿部位からすばやく様々な方向に拡散されるため、尿は、排尿部位に滞ることなく、吸収体１３の広い領域で吸収されることとなる。よって１回の排尿で排尿部位付近の吸収体１３が大きく膨らんで、吸収体１３全体の吸収力はまだあるにもかかわらず、交換されてしまうことを抑制できる。加えて、排尿部位に尿が滞らないので、排尿部位が蒸れることを抑制できる。また、主吸収領域２４一区画の面積を大きくすることができるので、皮膚に当接する面の多くをエンボス加工のない滑らかで柔らかい主吸収領域２４表面とすることができる。このため、肌触りのよさを維持しながら、尿をすばやく広域に拡散させることができる。
【００４１】
なお、図４に戻り、本実施形態の流路２１は、吸収体の幅方向における、一方側（図中、向かって右側）に傾斜して延びる第１流路２１ａと、他方側（図中、向かって左側）に傾斜して延びる複数の第２流路２１ｂとによって構成される。仮想線Ｐの吸収体１３上での位置は、前身頃部分Ｍ１上端から後身頃部分Ｍ３下端に向かって延びるものとなる。具体的には、図４に示すように、吸収体１３が細長い形状である場合、長手方向に延びるものである。流路２１は、この仮想線Ｐに対して傾斜して延びる。すなわち、仮想線Ｐを軸として側辺に沿った方向、例えば、長手方向に対し、第１流路２１ａは、一方側に角度αで傾斜し、第２流路２１ｂは、他方側に角度βで傾斜する。角度αと角度βは同一であってもよいし、異なっていてもよい。また、図４では、複数の第１流路２１ａはそれぞれ同じ角度で傾斜し、一定間隔で配置されている。すなわち、各第１流路２１ａが平行かつ一定間隔で配置されている。しかしながら、本発明はこれに限らず、溝の間隔が一定でないものや、各溝の傾斜角度が異なるものも含む。第２流路２１ｂについても同様である。
【００４２】
なお、吸収体１３は細長い形状に限らず、正方形など縦横の長さが同じものであってもよい。この場合も、側辺に沿った方向に対して、第１溝２１ａ、第２溝２１ｂは傾斜して延びるものである。
【００４３】
また、流路２１は傾斜したものだけでなく、側辺に沿った向きに延びるものであってもよい。
【００４４】
また、流路２１はおむつの端部までは延びていない。おむつの端部にまで流路２１を設けると、そこから液漏れを起こす可能性があり好ましくない。そこでおむつの各端部、すなわち、足回り開口部１０Ｌ、胴回り開口部１０Ｗには設けない。
【００４５】
加えて、吸収体１３の端まで流路２１を延ばさない方が好ましい。前身頃部分Ｍ１から後身頃部分Ｍ３にわたる方向を前後方向とすると、前後両端部には流路は形成されない。同じく、この前後方向に直交する左右方向を幅方向とすると、吸収体１３は、流路形成領域Ｎ１を長手方向幅方向の中央部に有し、その両側に流路非形成領域Ｎ２を有している。図４では、吸収体１３の幅方向両端部は、流路非形成領域Ｎ２であり、中央部に仮想線Ｐで示す長手方向の一方端から他方端に向かって帯状に流路形成領域Ｎ１が延びている。このように端部分には、流路２１を設けないことにより、流路を伝った液漏れを確実に防止する。
【００４６】
次にエンボス加工による流路パターンの実施例について、説明する。
【００４７】
図４に示すように、本実施例の流路パターンは、ドット状の凹部２２を連ねた格子状であり、１つの枡の対角線Ｑ１の長さは４２．４ｍｍとなるように流路２１が配置されている。また、図５に示すように、凹部２２の直径Ｑ２は２．０ｍｍ、凹部２２の配列間隔Ｑ３（隣接凹部２２中心間の距離）は、２．０ｍｍである。また、交点２１Ｄにおける隣接凹部２２中心間の距離Ｑ４は６．０ｍｍである。
【００４８】
エンボス加工をする前の吸収体１３とトップシート１２との厚さは、８．０ｍｍであり、図６に示すように、凹部２２の深さＱ５は、約５．０ｍｍである。
【００４９】
なお、エンボス加工前の吸収体１３とトップシート１２との厚さは、５．０ｍｍ〜２０．０ｍｍが好ましい。また、この吸収体１３とトップシート１２の構成に対しては、凹部２２の直径Ｑ２は、１．０ｍｍ〜４．０ｍｍが好ましく、配列間隔Ｑ３は、１．０ｍｍ〜９．０ｍｍが好ましく、深さＱ５は、２．０ｍｍ〜１０．０ｍｍが好ましい。また、交点２１Ｄにおける隣接凹部２２中心間の距離Ｑ４は、２．０ｍｍ〜１２．０ｍｍが好ましい。
【００５０】
次に、本実施形態の流路パターンを有するおむつと、このような流路パターンを備えないおむつとの液拡散性の比較実験を説明する。
【００５１】
本実施形態の流路パターンを有するおむつ（実施例１）と、流路パターンを備えないおむつ（比較例１）をそれぞれ、人形に装着し、股下部分から１回につき５０ｃｃの水を注液し、３回の注液による拡散性を比較した。具体的には、おむつを仮想線Ｐ方向に腹端部、腹中央部、股下、背中央部、背端部の５つの領域に等分し、毎回注液後の各領域の重量を測定し、液拡散性を測った。そして、３回の注液を実施した後の各領域の重量のおむつ総重量に対する比率を算出した。
【００５２】
注液前のおむつの総重量は３１．７ｇである。
【００５３】
表１は、実施例１の結果を示し、表２は、比較例１の結果を示す。
【００５４】
【表１】
0006557004.tif 000002
【００５５】
【表２】
0006557004.tif 000003
【００５６】
表１に見られるように、実施例１の本実施形態の流路パターンを備えるおむつは、吸収体の腹端部、背端部にまで液が拡散されており、股下部の重量比率が比較例１の結果に比べて少ない。したがって、注液された水が、注液部位の股下に留まらず、吸収体全体に拡散していることが理解できる。
【００５７】
（変形例）
流路２１は、斜め格子状だけでなく、図８に示すようにハニカム状であってもよい。この場合においても各直線の交点２１Ｄには、凹部２３は設けられていない。
【００５８】
また、図９に示すように、流路２１は曲線であってもよい。このように曲線の流路２１で囲まれる主吸収領域２４Ａ、２４Ｂの面積が異なるパターンであってもよい。この場合においても、交点２１Ｄには、凹部２３は位置しないものとする。このように、流路２１を斜め格子状だけでなく、ハニカム状や曲線状とすることにより、流路２１の加工によるデザイン的効果も得られ、美観が向上する。
【００５９】
また、流路２１は、流路２１となるラインを弱く圧搾して形成し、凹部２２となる部分を重ねて圧搾するような、流路２１対応のラインと凹部２２対応のドットとを組み合わせたエンボス型を用いたものであってもよい。この場合、流路２１の凹部２２以外の部分２３も圧搾により形成されることとなるが、圧搾の強さの差で、底面２２ａと吸収体１３の密度差はあると認められる。流路２１の凹部２２以外の部分２３の吸収効果は低下するが、流路２１の流れを確実に確保することができる。
【００６０】
さらに、凹部２２は、円形のドットだけでなく、半円形、四辺形、三角形など、様々な形を用いることができる。
【００６１】
加えて、吸収体１３の上に直接、トップシート１４を配したものだけでなく、吸収体１３を親水性シート１３Ｓによってくるんだ後、トップシート１４を配したものであってもよい。
【００６２】
また、図１０に示すように、トップシート１４と親水性シート１３Ｓとの間に、液拡散性を向上させる液拡散シート１３Ｔを設けてもよい。このシートにより、体液はより拡散しやすくなる。また、親水性シート１３Ｓは、吸収体１３をくるむように取り付けられてもよいし、単に、吸収体１３の端部をくるむことなく、表、裏に重ねて配置されたものであってもよい。
【００６３】
なお、図２におけるおむつを着用した下半身姿は、立っている状態を示しているが、本発明は、立って歩行する場合のみを対象とするものではなく、寝返りや赤ちゃんのハイハイなど脚の前後運動全般に対して、作用効果を発揮するものである。
【００６４】
本発明が対象とするおむつ１０の構造は、上述したような展開型に限定されるわけではなく、特許請求の範囲に規定された吸収性物品の構成を含むおむつでありさえすれば、どのような構成であってもよい。例えば、周知のパンツ型の使い捨ておむつや、尿漏れパッドなどであっても本発明を適用可能である。
【００６５】
加えて、本発明は、乳幼児向けのおむつに限らず、成人向けおむつ、尿漏れパッドなど、各種吸収性物品に適用可能である。
【符号の説明】
【００６６】
１０  使い捨ておむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ａ  切欠き部
１１Ｂ  インナーカバーシート
１１Ｃ  アウターカバーシート
１２  バックシート（裏面シート）
１３  吸収体
１３Ｓ  親水性シート
１３Ｔ  液拡散シート
１４  トップシート（表面シート）
１５  糸ゴム
１８  サイドシート
２１  流路
２１ａ  第１流路
２１ｂ  第２流路
２１Ｄ  流路の交差領域（流路の交点）
２２  凹部
２２ａ  凹部の底面
２３  流路における凹部以外の部分（凹んだ空間）
２４  主吸収領域
【図１】
0006557004.tif 000004
【図２】
0006557004.tif 000005
【図３】
0006557004.tif 000006
【図４】
0006557004.tif 000007
【図５】
0006557004.tif 000008
【図６】
0006557004.tif 000009
【図７】
0006557004.tif 000010
【図８】
0006557004.tif 000011
【図９】
0006557004.tif 000012
【図１０】
0006557004.tif 000013